(57)【要約】【課題】カップ保持部材の不用意な降下移動や捩じれ変形によってカップ保持部材によるカップ保持が不安定になることを回避し、カップ保持部材に過剰な押し下げ負荷が作用することによってカップ保持部材が破損すること。【解決手段】カップ保持部材６０に作用する押し下げ荷重が所定値未満である場合には、ストッパ用当接部７３がストッパ用当接部２７に当接した状態を保ち、カップ保持部材６０に作用する押し下げ荷重が所定値以上である場合には、カップ保持部材６０の下方への移動を規制する当接状態より離脱するストッパ機構（２７、７３）を設ける。【選択図】図６
2012046090.tif 000002
【特許請求の範囲】
【請求項１】
上方に開口部を有する収納室を画定するケース本体と、
前記開口部を閉塞する閉塞位置と前記開口部を開放する開放位置との間に回動可能に前記ケース本体に取り付けらた蓋部材と、
カップ保持形状部を含むカップ保持部材と、
前記ケース本体と前記カップ保持部材とを連結し、前記カップ保持部材を前記収納室内の降下位置と前記開口部より上方の上昇位置との間に移動可能に保持する平行リンク機構と、
前記蓋部材と前記カップ保持部材とを連動可能に連結し、前記蓋部材の前記閉塞位置より前記開放位置への移動によって前記カップ保持部材を前記降下位置より前記上昇位置へ上昇移動させ、前記蓋部材の前記開放位置より前記閉塞位置への移動によって前記カップ保持部材を前記上昇位置より前記降下位置へ降下移動させる連結機構と、
前記カップ保持部材と前記蓋部材とに設けられ、前記蓋部材が前記開放位置にある状態において前記カップ保持部材に作用する押し下げ荷重が所定値未満である場合には、互いに当接して前記カップ保持部材の下方への移動を規制し、前記蓋部材が前記開放位置にある状態において前記押し下げ荷重が所定値以上である場合には、下方への移動を規制する当接状態より離脱して前記カップ保持部材の下方への移動を許容するストッパ用当接部と、
を有するカップホルダ。
【請求項２】
前記平行リンク機構は、
一端を各々前記カップ保持部材の左右両側部に、左右方向に延在する軸線周りに回動可能に連結され、他端を各々前記ケース本体に回動可能に連結された左右一対の第１リンク部材と、
前記第１リンク部材と等長のリンク部材であって一端を前記カップ保持部材と前記第１リンク部材との連結位置とは前後方向に異なる位置において前記カップ保持部材の左右方向中間部に、左右方向に延在する軸線周りに回動可能に連結され、他端を前記ケース本体に回動可能に連結された第２リンク部材と、
により構成されている請求項１に記載のカップホルダ。
【請求項３】
前記蓋部材は前記開放位置では前記カップ保持部材より後方において起立し、
第１リンク部材は、前記カップ保持部材の前側部分において当該カップ保持部材に連結され、第２リンク部材は、前記カップ保持部材の後側部分において当該カップ保持部材に連結され、
前記連結機構は、前記カップ保持部材の左右両側の後側部分と前記蓋部材の左右両側とに各々設けられた水平方向に長い長溝部と当該長溝部に摺動可能に係合した凸部とにより構成されている請求項１または２に記載のカップホルダ。
【請求項４】
前記カップ保持部材の前記カップ保持形状部は起立した前記蓋部材の側を開放された半円形状をしており、
更に、起立した前記蓋部材の前面に上下方向に回動可能可能に設けられ、上方向にばね付勢されて前記カップ保持形状部の側に突出し、前記カップ保持形状部に差し込まれるカップによってばね付勢に抗して押し下げられる補助カップ保持部材を有する請求項１から３の何れか一項に記載のカップホルダ。
【請求項５】
前記蓋部材を前記前記開放位置に付勢するばね手段と、
前記蓋部材を前記閉塞位置に選択的に保持するロック手段とを有する請求項１から５の何れか一項に記載のカップホルダ。
【発明の詳細な説明】
【技術分野】
【０００１】
本発明は、自動車等の車両の室内に設けられるカップホルダに関し、特に、蓋部材の開閉操作に連動してカップ保持部材がホップアップする型式のカップホルダに関するものである。
【背景技術】
【０００２】
自動車等の車両の車室内に設置されて、カップ、飲料缶、ペッドボトル等を転倒しないように保持するカップホルダとして、上方に開口部を有する収納室を画定するケース本体と、前記開口部を閉塞する閉塞位置と前記開口部を開放する開放位置との間に回動可能に前記ケース本体に取り付けらた蓋部材と、カップ保持形状部を含むカップ保持部材と、前記ケース本体と前記カップ保持部材とを連結し、前記カップ保持部材を前記収納室内の降下位置と前記開口部より上方の上昇位置との間に移動可能に保持する平行リンク機構と、前記蓋部材と前記カップ保持部材とを連動可能に連結し、前記蓋部材の前記閉塞位置より前記開放位置への移動によって前記カップ保持部材を前記降下位置より前記上昇位置へ上昇移動させ、前記蓋部材の前記開放位置より前記閉塞位置への移動によって前記カップ保持部材を前記上昇位置より前記降下位置へ降下移動させる連結機構とを有するホップアップ式のものが知られている（例えば、特許文献１）。
【先行技術文献】
【特許文献】
【０００３】
【特許文献１】特開２０１０−１３７７６１号公報
【発明の概要】
【発明が解決しようとする課題】
【０００４】
上述の如きホップアップ式のカップホルダでは、上昇位置にあるカップ保持部材に手やペッドボトル等が当たり、カップ保持部材にこれを押し下げる荷重が作用すると、カップ保持部材が不用意に降下することになる。このため、カップ保持部材によるカップ保持が不安定になる。また、カップ保持部材がカップを保持した状態で、カップ保持部材にこれを押し下げる荷重が作用すると、カップがカップ保持部材と蓋部材との間の挟まれ、カップ保持部材の降下が阻止されるため、カップ保持部材に過剰な負荷が掛かることになる。このため、カップ保持部材が破損する虞がある。
【０００５】
特に、ケース本体とカップ保持部材とを連結する平行リンク機構が、一端を各々前記カップ保持部材の左右両側部に、左右方向に延在する軸線周りに回動可能に連結され、他端を各々前記ケース本体に回動可能に連結された左右一対の第１リンク部材と、前記第１リンク部材と等長のリング部材であって一端を前記カップ保持部材と前記第１リンク部材との連結位置とは前後方向に異なる位置において前記カップ保持部材の左右方向中間部に、左右方向に延在する軸線周りに回動可能に連結され、他端を前記ケース本体に回動可能に連結された第２リンク部材とで構成され、第１リンク部材の回動面（回動軸線に直交する平面）と第２リンク部材の回動面とが、同一平面上になく、軸線方向に異なる位置にあるものでは、カップ保持部材にこれを押し下げる荷重が作用すると、カップ保持部材が左右方向を捩れ軸線として捩じれ変形し易く、捩じれ変形によってカップ保持部材の左右端部が「おじぎ」をするように降下し易い。このため、カップ保持部材によるカップ保持が不安定になり易い。
【０００６】
本発明が解決しようとする課題は、ホップアップ式のカップホルダにおいて、カップ保持部材の不用意な降下移動や捩じれ変形によってカップ保持部材によるカップ保持が不安定になることを回避し、カップ保持部材に過剰な押し下げ負荷が作用することによってカップ保持部材が破損することも回避することである。
【課題を解決するための手段】
【０００７】
本発明によるカップホルダは、上方に開口部（１４）を有する収納室（１６）を画定するケース本体（１２）と、前記開口部（１４）を閉塞する閉塞位置と前記開口部を開放する開放位置との間に回動可能に前記ケース本体（１２）に取り付けらた蓋部材（２０）と、カップ保持形状部（６２）を含むカップ保持部材（６０）と、前記ケース本体（１２）と前記カップ保持部材（６０）とを連結し、前記カップ保持部材（６０）を前記収納室（１６）内の降下位置と前記開口部（１４）より上方の上昇位置との間に移動可能に保持する平行リンク機構（５０）と、前記蓋部材（２０）と前記カップ保持部材（６０）とを連動可能に連結し、前記蓋部材（２０）の前記閉塞位置より前記開放位置への移動によって前記カップ保持部材（６０）を前記降下位置より前記上昇位置へ上昇移動させ、前記蓋部材（２０）の前記開放位置より前記閉塞位置への移動によって前記カップ保持部材（６０）を前記上昇位置より前記降下位置へ降下移動させる連結機構（２５、７４）と、前記カップ保持部材（６０）と前記蓋部材（２０）とに設けられ、前記蓋部材（２０）が前記開放位置にある状態において前記カップ保持部材（６０）に作用する押し下げ荷重が所定値未満である場合には、互いに当接して前記カップ保持部材（６０）の下方への移動を規制し、前記蓋部材（２０が前記開放位置にある状態において前記押し下げ荷重が所定値以上である場合には、下方への移動を規制する当接状態より離脱して前記カップ保持部材（６０）の下方への移動を許容するストッパ用当接部（２７、７３）とを有する。
【０００８】
この構成によれば、蓋部材（２０）が開放位置にある状態において、上昇位置にあるカップ保持部材（６０）に所定値未満の押し下げ荷重が作用した場合には、カップ保持部材（６０）と蓋部材（２０）とに設けられたストッパ用当接部（２７、７３）が互いに当接することにより、カップ保持部材（６０）の捩れ変形を含む下方への移動が規制される。これにより、カップ保持部材（６０）によるカップ保持が不安定になることが回避される。
【０００９】
これに対し、蓋部材（２０）が開放位置にある状態において、上昇位置にあるカップ保持部材（６０）に所定値以上の押し下げ荷重が作用すると、前記ストッパ用当接部（２７、７３）が当接状態より離脱し、カップ保持部材（６０）が下方へ移動できるようになる。これにより、カップ保持部材（６０）に過剰な押し下げ負荷が作用することが回避され、カップ保持部材（６０）が破損することが防止される。
【００１０】
本発明によるカップホルダは、一つの実施の形態として、前記平行リンク機構（５０）が、一端を各々前記カップ保持部材（６０）の左右両側部に、左右方向に延在する軸線周りに回動可能に連結され、他端を各々前記ケース本体（１２）に回動可能に連結された左右一対の第１リンク部材（５２）と、前記第１リンク部材（５２）と等長のリンク部材であって一端を前記カップ保持部材（６０）と前記第１リンク部材（５２）との連結位置とは前後方向に異なる位置において前記カップ保持部材（６０）の左右方向中間部に、左右方向に延在する軸線周りに回動可能に連結され、他端を前記ケース本体（１２）に回動可能に連結された第２リンク部材（５４）とにより構成されている。
【００１１】
このように、前後のリンク部材（５２、５４）が枢軸方向に筋違いになっている平行リンク機構（５０）では、カップ保持部材（６０）が左右方向を捩れ軸線として捩じれ変形し易く、カップ保持部材（６０）によるカップ保持が不安定になりがちであるが、そのことが、ストッパ用当接部（２７、７３）の作用によって有効に回避される。
【００１２】
本発明によるカップホルダは、好ましくは、第１リンク部材（５２）は前記カップ保持部材（６０）の前側部分において当該カップ保持部材（６０）に連結され、第２リンク部材（５４）は前記カップ保持部材（６０）の後側部分において当該カップ保持部材（６０）に連結され、前記連結機構は前記カップ保持部材（６０）の左右両側の後側部分と前記蓋部材（２０）の左右両側とに各々設けられた水平方向に長い長溝部（７４）と当該長溝部に摺動可能に係合した凸部（２５）とにより構成されている。
【００１３】
この構成によれば、平行リンク機構（５０）と連結機構（２５、７４）との配置が位置的に重複することがなく、スペース的に有利になり、組み付け作業が面倒なものになることがない。
【００１４】
本発明によるカップホルダは、好ましくは、前記カップ保持部材（６０）の前記カップ保持形状部（６２）が起立した前記蓋部材（２０）の側を開放された半円形状をしており、更に、起立した前記蓋部材（２０）の前面に上下方向に回動可能可能に設けられ、上方向にばね付勢されて前記カップ保持形状部（６２）の側に突出し、前記カップ保持形状部（６２）に差し込まれるカップによってばね付勢に抗して押し下げられる補助カップ保持部材（８２）を有する。
【００１５】
この構成によれば、形状からしてカップ保持部材（６０）が捩じれ変形し易くなるが、大小、異なるサイズのカップ、ペットボルトを安定して保持することができる。
【００１６】
本発明によるカップホルダは、好ましくは、更に、前記蓋部材（２０）を前記開放位置に付勢するばね手段（３２）と、前記蓋部材（２０）を前記閉塞位置に選択的に保持するロック手段（４８）とを有する。
【００１７】
この構成によれば、ロック手段（４８）を解除するだけで、ばね手段（３２）のばね力により蓋部材が開放位置に位置し、使い勝手がよい。
【発明の効果】
【００１８】
本発明によるカップホルダによれば、蓋部材が開放位置にある状態において、上昇位置にあるップ保持部材に所定値未満の押し下げ荷重が作用した場合には、つまり、カップ保持部材に手やペッドボトル等が軽く当たった場合には、カップ保持部材と蓋部材とに設けられたストッパ用当接部が互いに当接することにより、カップ保持部材の捩れ変形を含む下方への移動が規制される。これにより、カップ保持部材によるカップ保持が不安定になることが回避される。
【００１９】
これに対し、蓋部材が開放位置にある状態において、上昇位置にあるカップ保持部材に所定値以上の押し下げ荷重が作用すると、つまり、カップ保持部材に手やペッドボトル等が強く当たると、前記ストッパ用当接部が当接状態より離脱し、カップ保持部材が下方へ移動できるようになる。これにより、カップ保持部材に過剰な押し下げ負荷が作用することが回避され、カップ保持部材が破損することが防止される。
【図面の簡単な説明】
【００２０】
【図１】本発明によるカップホルダの一つの実施例の閉鎖状態（格納状態）を示す斜視図。
【図２】本発明によるカップホルダの一つの実施例の開放状態（使用状態）を示す斜視図。
【図３】本実施例によるカップホルダの右側から見た分解斜視図。
【図４】本実施例によるカップホルダの左側から見た分解斜視図。
【図５】本実施例によるカップホルダの使用状態の断面図。
【図６】（Ａ）〜（Ｃ）は本実施例によるカップホルダの各状態を示す断面図。
【発明を実施するための形態】
【００２１】
この発明によるカップホルダの一つの実施例を、図１〜図６を参照して説明する。尚、本実施例のカップホルダの各部品は、特に材質を記載しない限り、プラスチック成形品である。また、以下の説明において、カップホルダの横幅方向を左右方向、左右方向に同一平面上で直交する方向を前後方向と定義する。
【００２２】
カップホルダ１０はケース本体１２を有する。ケース本体１２は、上方開口の四角箱体により構成され、上方に四角形状の開口部１４を有する収納室１６を画定している。ケース本体１２には蓋部材２０がケース本体１２の横幅方向（左右方向）に水平に延在する中心軸線Ｘ（図１〜図４参照）周りに回動可能に取り付けられている。次に、この蓋部材２０の取付構造について説明する。
【００２３】
蓋部材２０は、開口部１４より少し小さい四角板状の蓋主部２２と、蓋主部２２の左右両端部より９０度折曲して蓋主部２２より前方に延出した左右一対の側板部２４とを一体形成されている。左右の側板部２４には各々円柱状の軸部２６、２７（図３、図４参照）が互いに同一軸線上において外側方へ向けて突出形成されている。
【００２４】
ケース本体１２の左右の側壁部１３には、軸受凹部２８、軸受孔３０（図３、図４参照）とが中心軸線Ｘと同一軸線上に形成されている。蓋部材２０の左右の軸部２６、２７は、軸受凹部２８、軸受孔３０に回動可能に係合している。これにより、蓋部材２０は、ケース本体１２に対して中心軸線Ｘ周りに回動可能であり、図１に示されているように、水平姿勢に倒されて蓋主部２２によって開口部１４を閉塞する閉塞位置と、図２に示されているように、閉塞位置よりの図１で見て時計廻り方向に略９０度回動して略鉛直に起立し、開口部１４を開放する開放位置との間に回動可能になっている。
【００２５】
なお、蓋部材２０の左右の側板部２４は、ケース本体１２の左右の側壁部１３より内側、つまり、収納室１６内にある。
【００２６】
軸部２６の外周には、金属製の捩りコイルばね３２が取り付けられている。捩りコイルばね３２は、一端をケース本体１２に係止され、他端を蓋部材２０に係止され、蓋部材２０を、図１、図２で見て時計廻り方向、つまり、開放位置へ向けて付勢している。
【００２７】
蓋部材２０の一方の側板部２４には、軸部２６と同心の１／４円周の円弧開口３４が形成されている。円弧開口３４の大径側の内周部にはセクタ歯車３６が形成されている。ケース本体１２の一方の側壁部１３の外側には、粘性減衰式のロータリダンパ３８が取り付けられている。ロータリダンパ３８は一方の側壁部１３に形成された開口１５をもって収納室１６内に位置する入力歯車４０を有している。入力歯車４０はセクタ歯車３６に噛合している。これにより、蓋部材２０の開閉は、ロータリダンパ３８のダンパ作用のもとに、低速で行われる。
【００２８】
ケース本体１２の他方の側壁部１３の外側には、ロック用アーム部材４１の基端部が固定装着されている。ロック用アーム部材４１の先端には金属製の係合ピン４３が固定されている。係合ピン４３は、側壁部１３に形成された円弧溝１９を貫通して収納室１６内に突出している。蓋部材２０の他方の側板部２４には、ハート形状部４６を含むロック用係合溝４７（図３参照）が形成されている。ロック用係合溝４７には係合ピン４３が移動可能に係合している。これにより、ハートカム式オルタネイト動作のロック機構４８が構成される。このロック機構４８は、蓋部材２０が閉塞位置にある時に係合ピン４７３ハート形状部４６に係合することにより、蓋部材２０を閉塞位置に保持し、閉塞位置にある蓋部材２０が少し押されることにより、前記保持を解除するプッシュ・フルオープンのオルタネイト動作をするものである。
【００２９】
ケース本体１２には、平行リンク機構５０によってカップ保持部材６０が取り付けられている。
【００３０】
カップ保持部材６０は、平面視で、起立した蓋部材２０、つまり、開放位置にある蓋部材２０の側（後側）を開放された半円形状のカップ保持形状部６２を左右並列に２個有し、左右両端と左右方向中央部とに脚状部６４、６６を有して略Ｅ字形をしている。
【００３１】
ケース本体１２内の底部には、平行リンク機構５０のための軸受部として、左右両端の前部と、左右方向中央部の前後方向中間部とに、各々、軸受部４２、４４が形成されている。左右の軸受部４２と中央の軸受部４４とは、互いに前後方向に異なる位置にある。
【００３２】
平行リンク機構５０は、互いに等長の、左右の前側リンク部材（第１リンク部材）５２と、左右方向中央部配置の後側リンク部材（第２リンク部材）５４とを含んでいる。
【００３３】
左右配置の前側リンク部材５２は、各々、一端に形成されたリンク連結部５２Ａをもってカップ保持部材６０の左右の脚状部６４の根元側（前側）に形成されたリンク係合部６８に回動可能に連結され、他端に形成されたリンク連結部５２Ｂをもって左右前側の軸受部４２に回動可能に連結されている。
【００３４】
中央配置の後側リンク部材５４は、一端に形成されたリンク連結部５４Ａをもってカップ保持部材６０の中央の脚状部６６の先端側に形成されたリンク係合部７０に回動可能に連結され、他端に形成されたリンク連結部５４Ｂをもって中央の軸受部４４に回動可能に連結されている。
【００３５】
前側リンク部材５２と後側リンク部材５４の各連結部の回動は、すべて左右方向に延在し、前述の中心軸線Ｘと平行な軸線周りの回動である。これにより、前側リンク部材５２の回転面と後側リンク部材５４は、ともに中心軸線Ｘに直交する平面であるが、中心軸線Ｘの軸線方向（左右方向）に互いに異なった位置にある。
【００３６】
平行リンク機構５０は、上述の如く、ケース本体１２とカップ保持部材６０とを連結し、カップ保持部材６０を収納室１３内に沈めた降下位置（収納位置）と開口部１４より上方の上昇位置（ホップアップ使用位置）との間に平行移動可能に保持している。これにより、カップ保持部材６０は、水平姿勢を保って降下位置と上昇位置との間を平行移動する。
【００３７】
カップ保持部材６０の左右の脚状部６４の外側面の後側部分（リンク係合部６８より後側の部分）には長円形のループ突起７２によって水平方向に長い長溝部７４が形成されている。蓋部材２０の左右の側板部２４の内側面には連結ピン部（凸部）２５が一体成形されている。連結ピン部２５は、長溝部７４に摺動可能に係合し、蓋部材２０とカップ保持部材６０とを連動可能に連結している。
【００３８】
このような連結ピン部２５と長溝部７４とで、蓋部材２０とカップ保持部材６０とを連動連結する連結機構が構成され、蓋部材２０の閉塞位置より開放位置への移動によってカップ保持部材６０が降下位置より上昇位置へ上昇移動し、蓋部材２０の開放位置より閉塞位置への移動によってカップ保持部材６０が上昇位置より降下位置へ降下移動する。
【００３９】
この実施例では、平行リンク機構５０と、連結ピン部２５と長溝部７４とによる連結機構との配置が位置的に重複することがなく、スペース的に有利になり、組み付け作業が面倒なものになることがない。
【００４０】
蓋部材２０の蓋主部２２の内側面（開放位置にある蓋部材２０のカップ保持部材６０の側の面）には、左右方向に２個のブラケット８０が突出形成されている。ブラケット８０には、各々、舌片状の補助カップ保持部材８２が、補助カップ保持部材８２に形成された軸部８４とブラケット８０に形成された軸受孔８６との嵌合によって、左右方向に延在する軸線周りに回動可能に取り付けられている。
【００４１】
左右の補助カップ保持部材８２は、カップ保持部材６０のカップ保持形状部６２毎にカップ保持形状部６２と整合する位置にあり、金属製の捩りコイルばね８８のばね力によって各々個別に上方向に付勢され、図５に示されているように、ブラケット８０のストッパ部８１に当接することにより、蓋部材２０が開放位置にある状態下で、略水平な姿勢を保ち、下向きの外力によってねじコイルばね８８のばね力に抗して下方へ回動変位する。
【００４２】
図５に示されているように、カップやベッドボトルがカップ保持形状部６２に入れられると、カップやベッドボトルの口径に応じて補助カップ保持部材８２がねじコイルばね８８のばね力に抗して下方に押し下げられる。これにより、補助カップ保持部材８２は、口径の比較的大きいカップやベッドボトルや口径の比較的小さいカップやベッドボトルでも、これらの外面に押し付けられ、カップ保持形状部６２に入れらたカップやベッドボトルの安定保持を補助する。これにより、カップ保持部材６０は、カップ保持形状部６２を含む形状からして、捩れ変形し易いが、大小、異なるサイズのカップ、ペットボルトを安定して保持することができる。
【００４３】
また、ケース本体１２の底部と蓋部材２０の下側（開放位置で下側）には、各々、各カップ保持形状部６２毎に平面視が半円形のカップ保持形状部１７、２９が形成されており、これらも、カップ保持形状部６２に入れらたカップやベッドボトルの安定保持を補助する。
【００４４】
蓋部材２０の左右の脚状部６４の縁部、詳しくは、蓋部材２０が開放位置にある状態の時に上側に位置する縁部に沿って蓋部材２０側のストッパ用当接部２７が内側に向けて突出形成されている。ループ突起７２の後端側は、ストッパ用当接部２７に当接可能なカップ保持部材６０側のストッパ用当接部７３をなしている。
【００４５】
ストッパ用当接部７３は、蓋部材２０が開放位置にある状態において、カップ保持部材６０の前側部分が下方に押され、カップ保持部材６０の捩れ変形によって、図６（Ｂ）に示されているように、カップ保持部材６０の前側部分が「おじき」をするように少し降下すると、蓋部材２０のストッパ用当接部２７に下側から当接する。
【００４６】
このストッパ部の構成は、各部の大きさ、位置設定により、カップ保持部材６０に作用する押し下げ荷重が所定値未満である場合には、ストッパ用当接部７３がストッパ用当接部２７に当接した状態を保ってカップ保持部材６０のそれ以上の下方への移動を規制し、これに対し、カップ保持部材６０に作用する押し下げ荷重が所定値以上である場合には、図６（Ｃ）に示されているように、ストッパ用当接部７３が蓋部材２０を後方へ押し退けながらストッパ用当接部２７を乗り越え、カップ保持部材６０の下方への移動を規制する当接状態（図６（Ｂ）に示す当接状態）より離脱するようなっている。
【００４７】
つぎに、上述の構成によるカップホルダ１０の動作について説明する。
【００４８】
図１に示されているように、蓋部材２０が閉塞位置にある格納状態において、蓋部材２０の前側が矢印方向に押されると、ロック機構４８が解除され、蓋部材２０が、捩りコイルばね３２のばね力によって中心軸線Ｘを回動軸線として、図１で見て時計廻り方向に、ロータリダンパ３８によるダンパ作用のもとに回動し、図２に示されている開放位置に位置する。この蓋部材２０の移動に追従してカップ保持部材６０が降下位置より上昇位置へ移動する。これにより、カップホルダ１０は、カップ保持部材６０の各カップ保持形状部６２にカップやペットボルト等を受け入れてこれらを保持する状態になる。このように、ロック機構４８を解除するだけで、捩りコイルばる３２のばね力により蓋部材２０が開放位置に位置するから、使い勝手、操作性がよい。
【００４９】
蓋部材２０が開放位置にある状態において、上昇位置にあるカップ保持部材６０の片側の脚状部６４の根元部（前側）に手が触れたり、カップ等が当たったりすると、押し下げ荷重がカップ保持部材６０に作用する。カップ保持部材６０に押し下げ荷重が作用すると、カップ保持部材６０は、前後のリンク部材が枢軸方向に筋違いになっている本実施例の平行リンク機構５０の構成からして、左右方向を捩れ軸線として、比較的容易に捩じれ変形をおこし、この捩じれ変形によってカップ保持部材６０の左右端部が、図６（Ｂ）に示されているように、「おじぎ」をするように降下変位することになる。
【００５０】
このように、カップ保持部材６０の前側部分が「おじき」をするように少し降下すると、カップ保持部材６０のストッパ用当接部７３が蓋部材２０のストッパ用当接部２７に下側から当接する。カップ保持部材６０に作用する押し下げ荷重が所定値未満であれば、つまり、手や物がカップ保持部材６０に軽く当たっただけでは、図６（Ｂ）に示されているように、ストッパ用当接部７３がストッパ用当接部２７に当接した状態を保ち、カップ保持部材６０のそれ以上の下方への移動を規制する。
【００５１】
これにより、カップ保持部材６０がふら付くようなことがなく、カップ保持部材６０によるカップ保持が不安定になることがなく、商品性の高い安定したカップ保持の状態が保たれる。
【００５２】
これに対し、カップ保持部材６０に手や物が強く当るなどしてカップ保持部材６０に所定値以上の押し下げ荷重が作用すると、図６（Ｃ）に示されているように、ストッパ用当接部７３が蓋部材２０を後方へ押し退けながらストッパ用当接部２７を乗り越え、カップ保持部材６０の下方への移動を規制する当接状態（図６（Ｂ）に示す当接状態）より離脱する。
【００５３】
これにより、カップ保持部材６０が下方へ移動できるようになり、カップ保持部材６０に過剰な荷重が掛かることが回避され、カップ保持部材６０が過剰荷重によって破損することが防止される。
【００５４】
カップホルダ１０の使用後、カップ保持部材６０をケース本体１２の収納室１６内に収納するには、起立している蓋部材２０を、捩りコイルばね３２のばね力に抗して中心軸線Ｘ周りに、手にて、図２で見て反時計廻り方向に略９０度回動させ、図１に示されているように、蓋部材２０を元の閉塞位置に戻す。蓋部材２０が閉塞位置に戻されると、ロック機構４８によって
蓋部材２０が閉塞位置に保持される。
【００５５】
蓋部材２０が捩りコイルばね３２のばね力によって閉塞位置より開放位置へ移動する過程と、蓋部材２０を押して蓋部材２０を捩りコイルばね３２のばね力に抗して開放位置より閉塞位置に戻す通常の操作時には、蓋部材２０のストッパ用当接部２７とカップ保持部材６０のストッパ用当接部７３とは、図５（Ａ）に示されているように、離れた位置にあり、当接することがなく、それらの開閉操作が阻害されることなはない。
【００５６】
本発明によるカップホルダは、上述の実施例に限られるものでなく、本発明による範囲内において、種々の実施例が可能である。たとえば、ストッパ用当接部２７が蓋部材２０の縁部に筋状に設けらたものであったり、ストッパ用当接部７３がループ突起７２の一部により構成されたりすることは必須でなく、これらは、蓋部材２０とカップ保持部材６０とに設けられ、カップ保持部材６０に作用する押し下げ荷重が所定値未満である場合には、ストッパ用当接部７３がストッパ用当接部２７に当接した状態を保ち、カップ保持部材６０に作用する押し下げ荷重が所定値以上である場合には、カップ保持部材６０の下方への移動を規制する当接状態より離脱するものであれば、どのような構成であってもよい。
【００５７】
また、平行リンク機構５０は、前後のリンク部材が枢軸方向に筋違いになっている実施例のものに限られるものに限られるものでなく、前後のリンク部材か枢軸方向に同じ位置による最も通常の平行リンク機構であってもよい。
【符号の説明】
【００５８】
１０  カップホルダ
１２  ケース本体
１４  開口部
１６  収納室
２０  蓋部材
２５  連結ピン部
２７  ストッパ用当接部
３２  捩りコイルばね
３８  ロータリダンパ
４８  ロック機構
５０  平行リンク機構
５２  前側リンク部材（第１リンク部材）
５４  後側リンク部材（第２リンク部材）
６０  カップ保持部材
６２  カップ保持形状部
７３  ストッパ用当接部
８２  補助カップ保持部材
８８  捩りコイルばね
７２  ループ突起
７４  長溝部
【図１】
2012046090.tif 000003
【図２】
2012046090.tif 000004
【図３】
2012046090.tif 000005
【図４】
2012046090.tif 000006
【図５】
2012046090.tif 000007
【図６】
2012046090.tif 000008